(57)【特許請求の範囲】
【請求項１】
電子写真画像形成装置本体に着脱可能なプロセスカートリッジにおいて、
カートリッジフレームと、
電子写真感光体と、
前記電子写真感光体に作用するプロセス手段と、
前記カートリッジフレームから前記電子写真感光体が露出している露出部分をカバーする閉じ位置と、前記プロセスカートリッジが前記装置本体に装着された際に前記閉じ位置から退避して前記露出部分を開放する開放位置とを取り得るカートリッジシャッターであって、第一の部分と、前記閉じ位置から前記開放位置へ移動する開放方向において前記第一の部分より上流側に位置して前記第一の部分に対して揺動可能な第二の部分と、を有するカートリッジシャッターと、
前記開放方向において前記第一の部分の下流側を回動可能に支持して、前記カートリッジフレームに回動可能に支持されている第一レバー部材と、
前記開放方向において前記第一の部分の上流側、及び、前記第二の部分の下流側を回動可能に支持して、前記カートリッジフレームに回動可能に支持されているヒンジ支持レバーと、
前記第一の部分と前記第二の部分との間に設けられたバネ部材であって、その弾性力でもって前記第二の部分を前記カートリッジフレームの設けられた方向へ付勢するバネ部材と、
を有し、
前記プロセスカートリッジが前記装置本体に装着されるのに連動して前記カートリッジシャッターが前記閉じ位置から前記開放位置へ移動する際に、前記第一の部分の前記上流側及び前記下流側はそれぞれ前記カートリッジフレームに対して回動するように、かつ、前記開放方向における前記第二の部分の上流側は前記弾性力によって前記カートリッジフレームと接触して移動するように、構成したことを特徴とするプロセスカートリッジ。
【請求項２】
前記プロセスカートリッジが前記装置本体に装着されて前記カートリッジシャッターが前記開放位置に位置した際には、前記カートリッジシャッターは前記カートリッジフレームの上側に位置することを特徴とする請求項１に記載のプロセスカートリッジ。
【請求項３】
前記バネ部材はねじりコイルバネであって、前記開放方向と交差する方向の一端側に設けられていることを特徴とする請求項２に記載のプロセスカートリッジ。
【請求項４】
前記第一の部分と前記第二の部分は別部材であって、前記開放方向と交差する交差方向の一端側と他端側とを軸を介して回動可能に結合されており、前記第一の部分は前記開放方向において下流側であって前記交差方向の一端側と他端側とを第一レバー部材によって前記カートリッジフレームに支持されており、前記交差方向における前記軸の前記一端側をヒンジ支持レバーによって支持されていることを特徴とする請求項１乃至３のいずれかに記載のプロセスカートリッジ。
【請求項５】
前記ヒンジ支持レバーは前記交差方向へ突出している第一の突出部と、第二の突出部とを有しており、前記プロセスカートリッジが前記装置本体に装着される過程で、前記カートリッジシャッターは、前記装置本体に設けられた第一の固設部分に前記第一の突出部が当接して、続いて、前記装置本体に設けられた第二の固設部分に前記第二の突出部が当接することによって前記開放位置へ移動し、前記第二の突出部は前記軸と同一軸線上に位置していることを特徴とする請求項４に記載のプロセスカートリッジ。
【請求項６】
前記露出部分は、前記プロセスカートリッジが前記装置本体に装着された際に、前記電子写真感光体の前記装置本体から発せられた情報光を受けるための露光受け部分と、前記電子写真感光体に形成された潜像を現像するための現像作用受け部分と、前記電子写真感光体に形成されたトナー像を記録媒体に転写するための転写部分であることを特徴とする請求項１乃至５のいずれかに記載のプロセスカートリッジ。
【請求項７】
前記プロセス手段は、前記電子写真感光体に帯電を行うための帯電部材、又は、前記電子写真感光体に残留するトナーを除去するためのクリーニング部材であることを特徴とする請求項１乃至６のいずれかに記載のプロセスカートリッジ。
【請求項８】
プロセスカートリッジを着脱可能で、記録媒体に画像を形成するための電子写真画像形成装置において、
ａ、カートリッジフレームと、
電子写真感光体と、
前記電子写真感光体に作用するプロセス手段と、
前記電子写真感光体の前記カートリッジフレームから露出している露出部分をカバーする閉じ位置と、前記プロセスカートリッジが前記装置本体に装着された際に前記閉じ位置から退避して前記露出部分を開放する開放位置と、を取り得るカートリッジシャッターであって、第一の部分と前記閉じ位置から開放位置へ移動する開放方向において前記第一の部分よりも上流側に位置する第二の部分とを有し、前記第一の部分と前記第二の部分は互いに揺動可能なカートリッジシャッターと、
前記開放方向において前記第一の部分の下流側を回動可能に支持して、前記カートリッジフレームに回動可能に支持されている第一レバー部材と、
前記開放方向において前記第一の部分の上流側、及び、前記第二の部分の下流側を回動可能に支持して、前記カートリッジフレームに回動可能に支持されているヒンジ支持レバーと、
前記第一の部分と前記第二の部分との間に設けられたバネ部材であって、その弾性力でもって前記第二の部分を前記カートリッジフレームの設けられた方向へ付勢するバネ部材と、
を有し、
前記プロセスカートリッジが前記装置本体に装着されるのに連動して前記カートリッジシャッターが前記閉じ位置から前記開放位置へ移動する際に、前記第一の部分の前記上流側及び前記下流側はそれぞれ前記カートリッジフレームに対して回動するように、かつ、前記開放方向における前記第二の部分の上流側は前記弾性力によって前記カートリッジフレームと接触して移動するように、構成したプロセスカートリッジを取り外し可能に装着するための装着部材と、
ｂ、前記装着部材に装着されたプロセスカートリッジの有する前記電子写真感光体に形成された潜像を現像するための現像部材と、
ｃ、前記記録媒体を搬送する為の搬送部材と、
を有することを特徴とする電子写真画像形成装置。
【発明の詳細な説明】
【０００１】
【発明の属する技術分野】
本発明は電子写真方式を用いて記録媒体に画像を形成するため電子写真画像形成装置本体に着脱されるプロセスカートリッジおよび電子写真画像形成装置に関する。
【０００２】
【従来の技術】
従来、電子写真画像形成プロセスを用いた電子写真画像形成装置においては電子写真感光体及び前記電子写真感光体に作用するプロセス手段を一体的にカートリッジ化して、このカートリッジを電子写真画像形成装置本体に着脱可能とするプロセスカートリッジ方式が採用されている。
【０００３】
このプロセスカートリッジ方式によれば、装置のメンテナンスをサービスマンによらず使用者自身で行うことができるので、格段に操作性を向上させることができた。そこでこのプロセスカートリッジ方式は、電子写真画像形成装置において広く用いられている。
【０００４】
また、最近、電子写真感光体、電子写真感光体に作用する帯電手段及びクリーニング手段を前述したプロセスカートリッジとし、このプロセスカートリッジの電子写真感光体にカラー現像手段及び中間転写体を対設させカラー印刷等を可能としている。
【０００５】
このようなプロセスカートリッジでは電子写真感光体の露出部が露光部、現像手段、転写体と対設するように大きくとられている。
【０００６】
一方、電子写真感光体を保護するためのシャッターに関しては、本件出願人が既に極めて有効な発明を行なっている（ＵＳＰ．４，４６２，６７７号、及び、ＵＳＰ．４，４７０，６８９号）。
【０００７】
【発明が解決しようとする課題】
本発明の目的は、電子写真感光体を効果的に保護することのできるプロセスカートリッジ、及び、前記プロセスカートリッジを着脱可能な電子写真画像形成装置を提供することにある。
【０００８】
本発明の他の目的は、カートリッジフレームの外表面に沿わせてシャッターを開閉することのできるプロセスカートリッジ、及び、前記プロセスカートリッジを着脱可能な電子写真画像形成装置を提供することにある。
【０００９】
本発明の他の目的は、電子写真感光体の露出部をカバーするシャッターの運動の軌跡が小さなプロセスカートリッジ、及び、前記プロセスカートリッジを着脱可能な電子写真画像形成装置を提供することにある。
【００１０】
本発明の他の目的は、低コストなシャッターを有するプロセスカートリッジ、及び、前記プロセスカートリッジを着脱可能な電子写真画像形成装置を提供することにある。
【００１１】
本発明の他の目的は、クリーニング容器内に収納される除去トナーの自重落下のスペース（クリーニング容器底部）を減らすことのないプロセスカートリッジ、及び、前記プロセスカートリッジを着脱可能な電子写真画像形成装置を提供することにある。
【００１２】
本発明の他の目的は、シャッターが開放した状態をコンパクトにまとめて、ひいては小型のプロセスカートリッジ、及び、前記プロセスカートリッジを着脱可能な電子写真画像形成装置を提供することを目的とする。
【００１３】
【課題を解決するための手段】
本発明の主たる発明は、電子写真画像形成装置本体に着脱可能なプロセスカートリッジにおいて、
カートリッジフレームと、
電子写真感光体と、
前記電子写真感光体に作用するプロセス手段と、
前記カートリッジフレームから前記電子写真感光体が露出している露出部分をカバーする閉じ位置と、前記プロセスカートリッジが前記装置本体に装着された際に前記閉じ位置から退避して前記露出部分を開放する開放位置とを取り得るカートリッジシャッターであって、第一の部分と、前記閉じ位置から前記開放位置へ移動する開放方向において前記第一の部分より上流側に位置して前記第一の部分に対して揺動可能な第二の部分と、を有するカートリッジシャッターと、
前記開放方向において前記第一の部分の下流側を回動可能に支持して、前記カートリッジフレームに回動可能に支持されている第一レバー部材と、
前記開放方向において前記第一の部分の上流側、及び、前記第二の部分の下流側を回動可能に支持して、前記カートリッジフレームに回動可能に支持されているヒンジ支持レバーと、
前記第一の部分と前記第二の部分との間に設けられたバネ部材であって、その弾性力でもって前記第二の部分を前記カートリッジフレームの設けられた方向へ付勢するバネ部材と、
を有し、
前記プロセスカートリッジが前記装置本体に装着されるのに連動して前記カートリッジシャッターが前記閉じ位置から前記開放位置へ移動する際に、前記第一の部分の前記上流側及び前記下流側はそれぞれ前記カートリッジフレームに対して回動するように、かつ、前記開放方向における前記第二の部分の上流側は前記弾性力によって前記カートリッジフレームと接触して移動するように、構成したことを特徴とするプロセスカートリッジである。
【００１６】
【発明の実施の形態】
以下、本発明の実施の形態を図面に従って説明する。
【００１７】
（参考例）
ここでは参考例の説明を
（１）電子写真画像形成装置およびプロセスカートリッジの全体構成
（２）ドラムシャッターの構成
順に説明する。
【００１８】
▲１▼｛全体構成｝
図１はプロセスカートリッジ１３を装着したカラー電子写真画像形成装置Ａの全体構成を示す説明図であり、
図２はカートリッジ挿入口７０を開いてプロセスカートリッジ１３を電子写真画像形成装置本体５０へ装着する状態を説明する図である。
【００１９】
カラー電子写真画像形成装置Ａは、図１に記すように一定速度で回転するドラム形状の電子写真感光体（以下感光ドラムという）１５と固定の黒現像器２１Ｂと回転可能な３つのカラー現像器２０Ｙ，２０Ｍ．２０Ｃとからなる画像形成部と画像形成部で現像され多重転写されたカラー画像を保持し給送部から給送された転写材２に更に転写する中間転写体９を備えている。カラー画像を転写された転写材２を次いで定着部２５へ搬送してカラー画像を転写材２に定着し、排出ローラー３４，３５，３６によって電子写真画像形成装置本体５０の上面の排出部３７へ排出するものである。尚上記回転可能なカラー現像器２０Ｙ，２０Ｍ，２０Ｃ及び固定の黒現像器２１Ｂは電子写真画像形成装置本体５０に対して個別に着脱可能に構成されている。
【００２０】
次に上記電子写真画像形成装置Ａの各部の構成について順次詳細に説明する。
【００２１】
〔感光体ドラムユニット〕
プロセスカートリッジ１３は感光ドラム１５、クリーニングブレード１６、一次帯電手段１７を備えており、カートリッジ容器１４と一体的に構成されている。そしてこのプロセスカートリッジ１３は電子写真画像形成装置本体５０に対して取り外し可能に装着され、感光ドラム１５の寿命に合わせてユーザー自身によって容易にカートリッジ毎交換可能である。本参考例の形態に係わる感光ドラム１５は直径約６０ｍｍのアルミシリンダーの外側に有機光導電体層を塗布して構成し、感光ドラム１５のホルダーを兼ねるカートリッジ容器１４に回転自在に支持されている。感光ドラム１５の周上には、クリーニングブレード１６、一次帯電手段１７が配置され、また図示後方の一方端に図示しない駆動モーターの駆動力を伝達することにより、感光ドラム１５を画像形成動作に応じて図示反時計回りに回転させる。尚、前述クリーニングブレード１６は、その短手方向の先端を感光ドラム１５に接触している。また、本参考例では帯電手段として帯電ローラを用いており、この帯電ローラ１７ａは感光ドラムに接触している。
【００２２】
プロセスカートリッジ１３において、カートリッジ容器１４に支持される感光ドラム１５は一次帯電手段１７（帯電ローラ１７ａ）、クリーニングブレード１６に接する側はカートリッジフレーム１４内にあり、画像光の露光受け部、現像手段２０，２１、中間転写体９に接する側はカートリッジ容器１４から外部に露出している。この外部に露出している感光ドラム１５の部分は露出が大きく、約半円である。具体的には、感光ドラム１５の露出部分は、プロセスカートリッジ１３が装置本体５０に装着された際に、装置本体５０に設けられたスキャナ部３０から発せられた情報光を受けるための電光受け部１５ａと、感光ドラム１５に形成された潜像を現像するための現像作用受け部分１５ｂと、感光ドラム１５に形成されたトナー像を記録媒体に転写するための転写部分１５ｃである。
【００２３】
プロセスカートリッジ１３には第一シャッター部材５１、第二シャッター部材５２が設けられており、プロセスカートリッジ１３が電子写真画像形成装置本体５０から脱却された時に、クリーニング容器１４から外部に露出している感光ドラム１５の部分を第一、第二のシャッター部材５１，５２が感光ドラム１５を覆って保護するようになっている。尚、本参考例においては、カートリッジ容器１４がカートリッジフレームを構成している。但し、これに限定されるものではない。
【００２４】
〔帯電手段〕
帯電手段１７は接触帯電方法を用いたものであり、導電性帯電ローラー１７ｂを感光ドラム１５に当接させ、この導電性帯電ローラー１７ｂに電圧を印加することによって感光ドラム１５の表面を一様に帯電させるものである。
【００２５】
〔露光手段〕
上記感光ドラム１５への露光はスキャナー部３０から行われる。即ち画像信号がレーザーダイオードに与えられると、このレーザーダイオードは画像信号に対応する画像光をポリゴンミラー３１へ照射する。このポリゴンミラー３１はスキャナーモーターによって高速回転し、ポリゴンミラー３１で反射した画像光が結像レンズ３２及び反射ミラー３３を介して一定速度で回転する感光ドラム１５の表面を選択的に露光しその結果感光ドラム１５上に静電潜像を形成する。
【００２６】
〔現像手段〕
現像手段は、上記静電潜像を可視像化するため、イエロー、マゼンタ、シアン、ブラックの各色現像を可能とする３個のカラー現像器２０Ｙ，２０Ｍ，２０Ｃを有する現像手段２０と１個の黒現像器２１Ｂを有する現像手段２１を備えている。
【００２７】
黒現像器２１Ｂは固定現像器であり、感光ドラム１５に対向した位置に現像ローラ２１ＢＳが感光ドラム１５に対し微小間隔（３００μｍ程度）をもって配置され、感光ドラム１５にブラックトナーによる可視像を形成する。
【００２８】
黒現像器２１Ｂは容器内のトナーを送り機構にによって送り込み、現像ローラ２１ＢＳの外周に圧接された塗布ブレード２１ＢＢによって時計方向に回転する現像ローラ２１ＢＳの外周にトナーを薄層塗布し、且つトナーへ電荷を付与（摩擦帯電）する。また現像ローラ２１ＢＳに現像バイアスを印加することにより、感光ドラム１５の静電潜像に対応してトナー現像を行うものである。
【００２９】
３個のカラー現像器２０Ｙ，２０Ｍ，２０Ｃは、軸２２を中心として回転する現像ロータリー２３に夫々着脱可能に保持され、画像形成に際しては各カラー現像器２０Ｙ，２０Ｍ，２０Ｃが現像ロータリー２３に保持された状態で軸２２を中心に回転移動し、カラー現像器２０Ｙ，２０Ｍ，２０Ｃの内の一つが、感光ドラム１５に対向した位置に止り、更に現像ローラが感光ドラム１５に対し微小間隔（３００μｍ程度）をもって対向するように位置決めされた後、感光ドラム１５の静電潜像に対応して可視像を形成する。カラー画像形成時には中間転写体９の１回転毎に現像ロータリー２３が割り出し回転しイエロー現像器２０Ｙ、マゼンタ現像器２０Ｍ、シアン現像器２０Ｃ、次いで黒現像器２０Ｂの順で現像工程がなされる。
【００３０】
図１ではイエローのカラー現像器２０Ｙが感光ドラム１５に対向した位置に、位置決めされ静止している状態を示している。カラー現像器２０Ｙは容器内のトナーを送り機構によって塗布ローラー２０ＹＲへ送り込み、時計方向に回転する塗布ローラー２０ＹＲ及び現像ローラ２０ＹＳの外周に圧接された現像ブレード２０ＹＢによって時計方向に回転する現像ローラ２０ＹＳの外周にトナーを薄層塗布し、且つトナーへ電荷を付与（摩擦帯電）する。潜像が形成された感光ドラム１５と対向した現像ローラ２０ＹＳに現像バイアスを印加することにより、潜像に応じて感光ドラム１５上にトナー現像を行うものである。マゼンタ現像器２０Ｍ、シアン現像器２０Ｃについても上記同様なメカニズムでトナー現像が行われる。
【００３１】
またカラー現像器２０Ｙ，２０Ｍ，２０Ｃの各現像ローラは各カラー現像器２０Ｙ，２０Ｍ，２０Ｃが現像位置に回転移動されたとき電子写真画像形成装置本体５０に設けられた各色現像用高圧電源及び駆動と接続されており、各色現像毎に順次選択的に電圧が印加され駆動が接続される。
【００３２】
〔中間転写体〕
中間転写体９はカラー画像形成動作時には各現像器２０Ｙ，２０Ｍ，２０Ｃ，２１Ｂにより可視化された感光ドラム１５上のトナー画像を４回（イエローＹ、マゼンタＭ、シアンＣ、黒Ｂの４色の各画像）にわたり多重転写を受けるため感光ドラム１５の外周速度と同期して図示時計回りに回転し、また多重転写を受けた中間転写体９は電圧を印加された転写ローラー１０とによって転写材２を挟み込み搬送することにより転写材２に中間転写体９上の各色トナーを同時多重転写する。
【００３３】
本参考例に係わる中間転写体９は直径１８０のアルミシリンダー１２の外周を中抵抗スポンジや中抵抗ゴム等の弾性層１１で覆った構成をしている。この中間転写体９は回転自在に支持され一体的に固定されるギヤ（図示せず）に駆動を受けて回転する。
【００３４】
〔クリーニング手段〕
クリーニング手段は現像手段によって感光ドラム１５に可視像化されたトナーが中間転写体９に転写された後、感光ドラム１５上に残ったトナーを感光ドラム１５に圧接するクリーニングブレード１６によりクリーニングするものであり、クリーニングされた除去トナーはカートリッ容器１４に蓄えられる。カートリッジ容器１４に蓄えられる除去トナーの量は、感光ドラム１５の寿命より早くカートリッジ容器１４を満たすことはなく、従ってカートリッジ容器１４は感光ドラム１５の寿命による交換時に同時に一体で交換処理される。
【００３５】
〔給紙部〕
給紙部は画像形成部へ転写材２を給送するものであり、複数枚の転写材２を収納した給紙カセット１と給紙ローラー３、給送ローラー４、重送防止のリタードローラー５、給紙ガイド６、レジストローラー８から主に構成される。画像形成時には給紙ローラー３が画像形成動作に応じて駆動回転し、給紙カセット１内の転写材２を一枚ずつ分離給送すると共に、給紙ガイド６によってガイドし、搬送ローラー７を経由してレジストローラー８に至る。画像形成動作中にレジストローラー８は、転写材２を静止待機させる非回転の動作と転写材２を中間転写材９に向けて搬送する回転の動作とを所定のシーケンスで行い、次工程である転写工程時の画像と転写材２との位置合わせを行う。
【００３６】
〔転写部〕
転写部は揺動可能な転写ローラー１０からなる。
【００３７】
転写ローラー１０は金属軸を中抵抗発泡弾性体で巻いてあり、図示上下に移動可能で且つ駆動を有す。上記中間転写体９上に４色のトナー像を形成している間、即ち中間転写体９が複数回回転する間はその画像を乱さぬよう、図示実線で示すよう転写ローラー１０は下方に位置し中間転写体９とは離れている。上記中間転写体９上に４色のトナー像が形成し終わった後転写材２にカラー画像を転写するタイミングに合わせて転写ローラー１０は図示しないカム部材により図示細線で示す上方の位置、即ち転写材２を介して中間転写体９に所定の圧で押しつけられる。この時同時に転写ローラー１０にはバイアスが印加され中間転写体９上のトナー画像は転写材２に転写される。ここで中間転写体９と転写ローラー１０とは夫々駆動されているため、両者に挟まれた状態での転写材２は転写工程が行われると同時に、図示左方向に所定の速度で搬送され次工程である定着部２５にむけて送られる。
【００３８】
〔定着部〕
定着部２５は上記現像手段２０，２１により形成されたトナー画像を中間転写体９を介して転写材２上に形成したトナー画像を定着させるものであり、図１に示すように、転写材２に熱を加えるための定着ローラー２６と転写材２を定着ローラー２６に圧接させるための加圧ローラー２７とから成り、各ローラーは中空ローラーであり内部に夫々ヒータ２８，２９を有し回転駆動され同時に転写材２を搬送する。
【００３９】
即ちトナー像を保持した転写材２は定着ローラー２６と加圧ローラ２７とにより搬送されると共に熱及び圧力を加えられることによりトナーが転写材２に定着される。
【００４０】
▲２▼｛ドラムシャッターの構成｝
さて、次にプロセスカートリッジ１３の第一シャッター部材５１、第二シャッター部材５２を有するドラムシャッター（５１，５２）の構成について図３〜図７を用いて説明する。
【００４１】
図３はドラムシャッター（５１，５２）が開いた状態を示す斜視図、図４はドラムシャッター（５１，５２）が閉まった状態を示す斜視図、図５はドラムシャッター（５１，５２）が閉まった状態を示す側面図、図６はドラムシャッター（５１，５２）が半分開いた状態の側面図、図７はドラムシャッター（５１，５２）が開いた状態を示す側面図である。
【００４２】
図３に示すようにクリーニング容器１４は感光ドラム１５を支持するドラム支持部１４ｃを除いて中空の角形容器状である。そして感光ドラム１５に露光を行い、黒色の現像手段２１に接触可能とするために感光ドラム１５の側面より見て感光ドラム１５の左上部外周を露出している。又、カラー現像手段２０に接触可能とするため感光ドラム１５の側面より見て左下部外周を露出している。更に又、感光ドラム１５を中間転写体９に接触可能とするために感光ドラム１５の側面より見て感光ドラム１５の右下部外周を露出している。これらの現像手段２０，２１、中間転写体９に対する感光ドラム１５の夫々の露出部は連続している。そこで、クリーニング容器１４の側面より見て左下を開口し、その側板１４ｂを左下へ突出させてドラム支持部１４ｃを設け、ドラム支持部１４ｃにドラム軸１５ａでもって感光ドラム１５を回転自在に支持している。ドラム支持部１４ｃはドラム軸１５ａを中心とし、ほぼ感光ドラム１５と同半径の円弧部１４ｃ１を有し、側板１４ｂの左上角１４ｄと円弧部１４ｃ１は直線部１４ｅで結ばれている。この直線部１４ｅはクリーニング容器１４の前板１４ｆ（図３参照）と側板１４ｂが会する稜線に相当する。前板１４ｆは感光ドラム１５の露光部を開放し、黒現像器２１Ｂに干渉せず、且つ一次帯電手段１７をクリーニング容器１４に内蔵させ、且つ、ドラムシャッター（５１，５２）の軌跡外にある必要があり、当然ドラム軸１５ａから側板１４ｂの左上角１４ｄまでの距離は感光ドラム１５の半径よりも著しく大である。
【００４３】
このようなプロセスカートリッジ１３において、ドラムシャッター（５１，５２）は閉じた際、感光ドラム１５に沿い、且つドラムシャッター（５１，５２）の開閉時の軌跡がカートリッジ容器１４に近い個所に画かれる。すなわち、本参考例によれば、ドラムシャッター（５１、５２）はカートリッジ容器１４の外表面に沿って開閉することができる。
【００４４】
次に上述のカートリッジ容器１４の開口部に露出する感光ドラム１５を覆う開閉可能なドラムシャッター（５１，５２）について説明する。
【００４５】
既に述べたようにドラムシャッター（５１，５２）は第一シャッター部材５１、第二シャッター部材５２に分割されており、両シャッター部材５１，５２は側面形状が図５に示すように感光ドラム１５の外周に沿う円弧形の板状であり、感光ドラム１５のクリーニング容器１４から外部へ露出している部分の円弧と対応する長さを併せて有する。
【００４６】
図３に示すように第一シャッター部材５１と第二シャッター部材５２は、感光ドラム１５に平行な軸心を有するヒンジ部５３を入り込ませてヒンジ部５３にヒンジ軸５３ａを挿入してあり、互いに回動自在に結合されている。
【００４７】
両側のヒンジ軸５３ａの一方（両側の側板１４ｂ側に夫々ヒンジ支持レバー５６を配設して両側に設けてもよい）はヒンジ支持レバー５６の先端と一体に設けてある。ヒンジ支持レバー５６はヒンジ軸５３ａに平行な中心軸５６ａを有し、この中心軸５６ａはクリーニング容器１４の側板１４ｂに回転自在に支持されている。ヒンジ支持レバー５６の中心軸５６ａに挿入されたねじりコイルバネ５８の一端はこの中心軸５６ａに係止され、他端は側板１４ｂに係止されて、ドラムシャッター（５１，５２）が閉まる方向（感光ドラム１５を覆う方向）にヒンジ支持レバー５６を回動するように付勢している。ヒンジ支持レバー５６にはプロセスカートリッジ１３を電子写真画像形成装置本体５０に装着する際、電子写真画像形成装置本体５０に設けた固設当接部材（図示せず）に突き当り、ヒンジ支持レバー５６をねじりコイルバネ５８のバネ力に抗して、ドラムシャッター（５１，５２）を感光ドラム１５の表面から移動し感光ドラム１５を現像手段２０，２１、中間転写体９に対して露出させるシャッター開閉用の二つの突起（駆動部材）５９，６０が設けられている。該突起５９，６０の内一つの突起５９は結合部支持レバーとなっているヒンジ支持レバー５６の中間で且つ感光ドラム１５に対して反対方向にオフセットした位置とし、他の一つの突起６０はヒンジ軸５３ａと同軸としてある。第一シャッター部材５１は端部支持レバーとなっている第一レバー部材５５と前記ヒンジ支持レバー５６により支持されている。第一レバー部材５５は感光ドラム１５側から見てヒンジ支持レバー５６の中心軸５６ａよりも遠い位置において、感光ドラム１５に平行な回動中心５５ａでもってクリーニング容器１４の側板１４ｂに枢着されており、第一レバー部材５５の先端の感光ドラム１５に平行なピン部５５ｂは第一シャッター部材５１のヒンジ部５３を設けた端部と反対側の端部５１ｂに枢着されており、クリーニング容器の側板１４ｂ、第一シャッター部材５１、第一レバー部材５５、ヒンジ支持レバー５６を夫々リンクとしこれらでもって四節回転連鎖機構を構成している。
【００４８】
第二シャッター部材５２は端部支持レバーとなっている第二レバー部材６１と前記ヒンジ支持レバー５６により支持されている。第二レバー部材６１は感光ドラム１５から見てヒンジ支持レバー５６の中心軸５６ａよりも近い位置において、感光ドラム１５に平行な回動中心６１ａでもってクリーニング容器１４の側板１４ｂを延長したドラム支持部１４ｃに枢着されており、第二レバー部材６１の先端の感光ドラム１５に平行なピン部６１ｂは第二シャッター部材５２のヒンジ部５３を設けた端部とは反対側の端部５２ｂに枢着されており、クリーニング容器の側板１４ｂ、第二シャッター部材５２、第二レバー部材６１、ヒンジ支持レバー５６を夫々リンクとしこれらでもって四節回転連鎖機構を構成している。上述より明らかなように第一シャッター５１を運動させるための四節回転連鎖機構と第二シャッター部材５２を運動させるための四節回転連鎖機構は一つのリンク、即ち、ヒンジ支持レバー５６を共通のリンクとしている。
【００４９】
図５に示すようにドラムシャッター（５１，５２）が閉じた状態で第一レバー部材５５のピン部５５ｂ、第二レバー部材６１のピン部６１ｂ、ヒンジ支持レバー５６の先端のヒンジ軸５３ａは感光ドラム１５の周面に沿って配設されており、第一レバー部材５５のピン部５５ｂ（第一シャッター部材５１の端部５１ｂ）はドラム支持部１４ｃの円弧部１４ｃ１と直線部１４ｅの交叉する交点１４ｇ近くに位置し、第二レバー部材６１のピン部６１ｂ（第二シャッター部材５２の端部５２ｂ）はドラム支持部１４ｃの円弧部１４ｃ１とクリーニング容器１４の底板１４ｉの交叉する隅部１４ｈ近くに位置する。このようなドラムシャッター（５１，５２）が閉じた位置から、クリーニング容器１４及び感光ドラム１５に干渉しないように、且つ、出来る限り、感光ドラム１５及びクリーニング容器１４の近くをドラムシャッター（５１，５２）がとおるように上述の第一レバー部材５５の長さと回動中心５５ａの位置、第二レバー部材６１の長さと回動中心６１ａの位置、ヒンジ支持レバー５６の長さと中心軸５６ａの位置が選ばれる。
【００５０】
具体的には、第一レバー部材５５のピン部５５ｂ（第一シャッター部材５１の端部５１ｂ）及びヒンジ支持レバー５６の先端のヒンジ部５３がクリーニング容器１４の前板１４ｆと天板１４ｊの交叉する稜線（角１４ｄをとおり図５の紙面に直角な線）を回避する必要がある。そしてドラムシャッター（５１，５２）を開いた際、第二シャッター部材５２の端部５２ｂ（ピン部６１ｂ位置）が感光ドラム１５の感光面から去って直線部１４ｅと円弧部１４ｃ１の交点１４ｇ付近にくるまでに、第一シャッター部材５１の端部５１ｂ（ピン部５５ｂの位置）はクリーニング容器１４の天板１４ｊに当らないようにする必要がある。
【００５１】
ドラムシャッター（５１，５２）の作用を説明する。
【００５２】
図２に示すように、電子写真画像形成装置本体５０の外装に設けたカートリッジ挿入口７０を閉じているカバー７０ａを、カバー７０ａを電子写真画像形成装置本体５０に枢着してあるヒンジ７０ｂを中心にして外開きに開くと、該挿入口７０の入口側から奥側へ向って左右に案内部材（不図示）が設けられており、この案内部材にプロセスカートリッジ１３を滑合して、プロセスカートリッジ１３を機外の図示Ｄの位置から矢印Ｚの方向へ位置Ｅを経て図１のセット位置へ進み位置決め固定される。電子写真画像形成装置本体５０外においてプロセスカートリッジ１３は図２、図４、図５に示すようにドラムシャッター（５１，５２）が感光ドラム１５を覆っている。上述のようにプロセスカートリッジ１３がカートリッジ挿入口７０から電子写真画像形成装置本体５０内へ進入して行くと、ヒンジ支持レバー５６に設けたシャッター開閉用の突起５９，６０が電子写真画像形成装置本体５０内壁に設けた不図示のガイド部に押され、図５に示す位置から中心軸５６ａを中心にしてヒンジ支持レバー５６がねじりコイルバネ５８のバネ力に抗して時計回りに回動し、ヒンジ部５３はヒンジ支持レバー５６の中心軸５６ａを中心に回動して第一シャッター部材５１を押して第一ピン部５５ｂを介して回動中心５５ａを中心に第一レバー部材５５を時計回りに回動させる。又、ヒンジ部５３は第二シャッター部材５２を引いて第二ピン部６１ｂを介して回動中心６１ａを中心に第二レバー部材６１を時計回りに回動させる。これによって第一レバー部材５５、ヒンジ支持レバー５６、第二レバー部材６１は同方向へ回動し、第一シャッター部材５１、第二シャッター部材５２を夫々感光ドラム１５の周面から次第に離れると共に感光ドラム１５の周囲を時計回りに移動し図６の位置を経由し、図７のように第一シャッター部材５１の第一レバー部材５５に支持されている端部５１ｂがクリーニング容器１４の天板１４ｊに接近すると共に第二シャッター部材５２の第二レバー部材６１に支持されている端部５２ｂがドラム支持部１４ｃの円弧部１４ｃ１と前板１４ｆの両側の直線部１４ｅとの交点１４ｇ近くで前板１４ｆに接近した位置でシャッター開閉用の突起５９，６０をガイドしている電子写真画像形成装置本体５０の不図示のガイド部材がこれ以上、該突起５９，６０を移動させないため、ドラムシャッター（５１，５２）は停止し、この状態でプロセスカートリッジ１３はカートリッジ挿入口７０の奥側へ進み、感光ドラム１５に対して現像手段２０，２１、中間転写体９及び露光手段（スキャナー部３０）の作用位置にセットされる。
【００５３】
上述の図７の状態においては、感光ドラム１５のクリーニング容器１４から露出すべき部分は全部開放されており、且つ、第一シャッター部材５１、第二シャッター部材５２はクリーニング容器１４上部に沿って配されているので、プロセスカートリッジ１３を電子写真画像形成装置本体５０内へ進入させるための空間は小さくてよい。
【００５４】
図１の状態からプロセスカートリッジ１３を取り外す際は、カバー７０ａをヒンジ７０ｂを中心に外開きに開き、カートリッジ挿入口７０から手を差し込んでプロセスカートリッジ１３を手でつかみ引き出すと、途中まで図３、図７のドラムシャッター（５１，５２）全開状態でカートリッジ挿入口７０側へ不図示の案内部材に導かれてプロセスカートリッジ１３は引き出され、その間シャッター開閉用の突起５９，６０は電子写真画像形成装置本体５０の内壁に設けた不図示のガイド部材により案内され、図３、図７のようにドラムシャッター（５１，５２）は全開状態を保ったままである。プロセスカートリッジ１３が更に引き出されると上記ガイド部材はこれら突起５９，６０をヒンジ支持レバー５６が図３、図７において中心軸５６ａを中心にねじりコイルバネ５８のバネ力で反時計回りに回動しようとするのを制約し乍ら、プロセスカートリッジ１３の位置に応じてヒンジ支持レバー５６を中心軸５６ａを中心に回動する角を規制し乍らヒンジ支持レバー５６を回動し、これによって第一レバー部材５５、第二レバー部材６１を夫々反時計回りに回動して第一シャッター部材５１、第二シャッター部材５２を閉じる方向に移動し、図６に示す経過を経て図４、図５に示すように回動して第一シャッター部材５１、第二シャッター部材５２は感光ドラム１５の露出部を覆う。そして図４、図５の状態からプロセスカートリッジ１３が電子写真画像形成装置本体５０の不図示の案内部材から外れ、カートリッジ挿入口７０から機外へ取り出される。機外において第一シャッター部材５１、第二シャッター部材５２はヒンジ支持レバー５６を閉じる方向へ付勢するねじりコイルバネ５８のバネ力で閉じた状態が保たれる。
【００５５】
この参考例１において、第二レバー部材６１の回転中心６１ａをドラム軸１５ａと同心にすると、第二シャッター部材５２の第二レバー部材６１に支持されている端部５２ｂを感光ドラム１５に沿って移動できる。こうすることにより、図５において第二シャッター部材５２のピン部６１ｂに枢着されている端部５２ｂは感光ドラム１５に沿って移動し、感光ドラム１５にこの端部６１ｂの厚さを加えた範囲からわずかに第二シャッター部材５２の画く軌跡がはみ出すのみであるから、感光ドラム１５前側及び下側はドラムシャッター（５１，５２）の運動のために必要とする空間は小さくてすむ。
【００５６】
上述の説明では、プロセスカートリッジ１３を電子写真画像形成装置本体５０の着脱に際し、開閉用の突起５９，６０をプロセスカートリッジ１３側に設け、電子写真画像形成装置本体５０側に該突起５９，６０をガイドして第一シャッター部材５１、第二シャッター部材５２を自動的に開閉する不図示のガイド部材を設けたので取扱いに際し、ドラムシャッター（５１，５２）の開閉操作を要しないので好適である。
【００５７】
なお簡易な構成においては、ドラムシャッター（５１，５２）開閉用の突起５９，６０及び該突起５９，６０をガイドする電子写真画像形成装置本体５０の不図示のガイド部材を設けないで、プロセスカートリッジ１３を電子写真画像形成装置本体５０に装着に際し、ドラムシャッター（５１，５２）を手で開き、全開状態におけるドラムシャッター（５１，５２）の保持手段、例えばノッチ装置を設けておいてもよい。そしてプロセスカートリッジ１３を電子写真画像形成装置本体５０から取り外した際に手でドラムシャッター（５１，５２）を手で閉めてもよい。
【００５８】
（実施の形態１）
図８、図９、図１０はドラムシャッターを２分割する実施の形態を示す図である。
【００５９】
この実施の形態１は第一シャッター部材５１は参考例と同様に支持されているが、第二シャッター部材５２はヒンジ支持レバー５６のみに一方の端部（シャッター部材の開閉方向Ｙと交差する方向の端部）が支持されているものである。そして、ヒンジ軸５３ａに挿入したねじりコイルバネ５４の端部を夫々第一シャッター部材５１のバネ係止部５１ａ、第二シャッター部材５２のバネ係止部５２ａに係止し、第二シャッター部材５２の感光ドラム１５に面する側を第一シャッター部材５１の内側へ向って付勢している。
【００６０】
第一レバー部材５５、ヒンジ支持レバー５６は参考例と同様にクリーニング容器の側板１４ｂに取り付けられている。
【００６１】
第一シャッター部材５１は第二シャッター部材５２とヒンジ部５３・５３ｂによりその両側端で連結され、ドラムシャッター（５１，５２）の回動軌跡を規制する第一レバー部材５が開放方向（図１０、矢示Ｘ方向）先端側の両端部に枢着され、ヒンジ支持レバー５６が一端部に枢着されている。これによって第一シャッター部材５１の両端部、第二シャッター部材５２の一方の端部（ヒンジ部５３ｂ）の軌跡を規定している。第二シャッター部材５２はヒンジ部５３に設けた図１０に示すねじりコイルバネ５４で反時計回りに付勢され、図８に示すようにその他端の端部５２ｂはドラム支持部１４ｃの円弧部１４ｃ１に接している。
【００６２】
尚、第一レバー部材５５は折曲された一本の金属棒であって、感光ドラム１５側から見て、ヒンジ支持レバー５６の中心軸５６ａよりも遠い位置において、感光ドラム１５に平行な回動中心５５ａでもって、クリーニング容器１４の両側板１４ｂに枢着されている。また、ヒンジ支持レバー５６は、ヒンジ軸５３ａと一体成形されており、感光ドラム１５に平行な回動中心軸５６ａでもって、クリーニング容器１４の一方の側板１４ｂに枢着されている。尚、ヒンジ軸５３ａには、両シャッター部材５１・５２が回動可能に係合している。
【００６３】
第二シャッター部材５２の端部５２ｂ（ヒンジ支持レバー５６で支持されているのとは反対側の端部）は上述のねじりコイルバネ５４により回動軌跡が規制されている。これにより、ドラムシャッター（５１，５２）の回転軌跡を次に述べるように小さくできる。
【００６４】
図８においてヒンジ支持レバー５６が中心軸５６ａを中心にして中心軸５６ａに挿入してあるねじりコイルバネ５８（図３・図１０参照）のばね力に抗して時計回りに回動すると、第一シャッター部材５１は参考例と同様に開く。第二シャッター部材５２は端部５２ｂがドラム支持部１４ｃの円弧部１４ｃ１に接して移動する。この際、円弧部１４ｃ１の下部では第二シャッター部材５２の自重に抗してねじりコイルバネ５４のバネ力で一端５２ｂが円弧部１４ｃ１に接し、円弧部１４ｃ１の上部及び直線部１４ｅには、第二シャッター部材５２の自重と前記バネ力で端部５２ｂが圧接する。
【００６５】
図９はドラムシャッター（５１，５２）が開いた状態を示しいる。ドラムシャッター（５１，５２）が閉鎖位置から開放位置へ移動する間第二シャッター部材５２の端部５２ｂは円弧部１４ｃ１及び直線部１４ｅに接して移動するので、特に感光ドラム１５の下方側でのドラムシャッター（５１，５２）の移動の軌跡の占める空間が小さい。以上のように構成することで、シャッター部品が２部品に増えても、レバー部品が２部品で構成でき、部品点数が削減できる。
【００６６】
なおヒンジ部５３近傍に第二シャッター部材５２の回転を規制するストッパー６３が配備され、第二シャッター部材５２の反転を防止するようにすると、図８のようにドラムシャッター（５１，５２）が閉じた状態で、第二シャッター部材５２を手でもって大きく開けることを防止できる。
【００６７】
このストッパー６３は根本６３ａが第一シャッター部材５１と一体に製作されるか、固定され、鍵形をしていてヒンジ部５３を越えて第二シャッター部材５２上へ突出していて、先端はドラムシャッター（５１，５２）が閉じた際、第二シャッター部材５２とは離れていて、ドラムシャッター（５１，５２）を開く際に第一シャッター部材５１、第二シャッター部材５２がヒンジ部５３を中心に表側を近づけるように反り返って差支えないようになっている。
【００６８】
本実施形態において、第一レバー部材は金属棒であって、ドラムシャッタ（５１・５２）の開放方向と交差する方向において前記第一シャッター部材（５１）をまたがるように前記第一シャッター部材に取り付けられている。そして前記金属棒の一端側はカートリッジ容器１４の一側端に回動可能に取り付けられており、また、他端側は前記カートリッジ容器１４の他側端に回動可能に取り付けられている。
【００６９】
そして前記プロセスカートリッジが装置本体の装着部Ｇ１に侵入する過程で、前記ドラムシャッター（５１・５２）は、装置本体に設けられた第一の固設部分（図示せず）に前記突起５９が当接して、続いて、装置本体に設けられた第二の固設部分（図示せず）に前記突起６０が当接することによって開放位置に移動する。
【００７０】
（実施の形態２）
図１１、図１２、図１３はドラムシャッター（５１，５２）を２分割し、かつ電子写真画像形成装置本体５０に収まったプロセスカートリッジ１３の占有面積を少なくとする実施の形態である。
【００７１】
プロセスカートリッジ１３のカートリッジ容器１４の上部にドラムシャッター（５１，５２）退避用のスペース５７を設けたものである。
【００７２】
このカートリッジ容器１４上部の凹形状のスペース５７は第一シャッター部材５１の回動軌跡上に設けられ、第一シャッター部材５１を凹形状スペース５７に格納することにより、プロセスカートリッジ１３の高さ方向を小さくすることが可能となり、電子写真画像形成装置本体５０内のプロセスカートリッジ１３の占有面積が小さくできひいては、電子写真画像形成装置本体５０の小型化が可能となる。
【００７３】
前述したプロセスカートリッジは、電子写真画像形成装置本体に着脱可能なプロセスカートリッジであって、カートリッジフレーム１４と、電子写真感光体ドラム１５と、前記電子写真感光体ドラム１５に帯電を行うための帯電ローラ１７ｂと、ここで前記帯電ローラ１７ｂは前記電子写真感光体ドラム１５に接触して設けられている、前記電子写真感光体ドラム１５に残留するトナーを除去するためのクリーニングブレード１６と、ここで前記クリーニングブレード１６は前記電子写真感光体ドラム１５に接触して設けられている、前記電子写真感光体ドラム１５の前記カートリッジフレーム１４から露出している露出部分Ｘをカバーする閉じ位置と、前記閉じ位置から退避して前記電子写真感光体ドラムの一部分を露出させる開放位置Ｙとを取り得るカートリッジシャッター（ドラムシャッター）５１・５２と、ここで、前記カートリッジシャッター５１・５２は、前記閉じ位置から開放位置へ移動する開放方向において下流側に位置する第一のシャッター部材５１と上流側に位置する第二のシャッター部材５２とを有しており、前記第一のシャッター部材５１と第二のシャッター部材５２は別部材であって、互いに回動可能に結合されている、前記カートリッジシャッター５１・５２の前記第一のシャッター部材５１を前記カートリッジフレーム１４に支持するための第一の支持部材（第一レバー部材）５５であって、前記開放方向Ｙにおいて下流側であって前記開放方向Ｙと交差する方向の一端側と他端側とを支持している第一の支持部材（第一レバー部材）５５と、前記カートリッジシャッター５１・５２の前記第一のシャッター部材５１と第二のシャッター部材５２の連結部分を前記カートリッジフレームに支持するための第二の支持部材（ヒンジ支持レバー）５６であって、前記開放方向と交差する方向の一端側を支持している第二の支持部材（ヒンジ支持レバー）５６と、前記カートリッジシャッターを前記閉じ位置方向へ付勢するための第一のねじりコイルバネ５８と、前記第二のシャッター部材５２を前記閉じ位置において前記電子写真感光体ドラム１５の方向へ付勢する第二のねじりコイルバネ５４と、ここで前記ねじりコイルバネ５４は、前記開放方向Ｙと交差する方向の他端側であって、前記第一のシャッター部材５１と第二のシャッター部材５２の間に設けられている、
を有しており、
前記露出部分Ｘは、前記プロセスカートリッジが装置本体に装着された際に、前記電子写真感光体１５の装置本体から発せられた情報光を受けるための露光受け部分１５ａと、前記電子写真感光体１５に形成された潜像を現像するための現像作用受け部分１５ｂと、前記電子写真感光体１５に形成されたトナー像を記録媒体に転写するための転写部分１５ｃであって、前記閉じ位置において前記露出部分を前記第一のシャッター部材５１と第二のシャッター部材５２とによってカバーする、また、前記カートリッジシャッター５１／５２は、前記プロセスカートリッジが装置本体の装着位置に装着されて前記開放位置に位置した際には、前記カートリッジフレーム１４の上側に位置する。また前述実施例において、前記第一のシャッター部材５１と第二のシャッター部材５２は、前記開放方向と交差する方向の一端側と他端側とをヒンジ５３・５３ｂによって回動可能に結合されている、そして、前記一端側に設けられた軸５３ａの部分を前記第二の支持部材５６によって支持されている、ここで前記一端側に設けられた軸５３ａと前記第二の支持部材５６は一体成形物である。また前述実施例において、前記第二の支持部材５６は前記第二の支持部材５６から前記開放方向Ｙと交差する方向へ突出している第一の突出部（突起）５９と、第二の突出部（突起）６０とを有している、そして、前記プロセスカートリッジが装置本体の装着位置に侵入する過程で、前記カートリッジシャッター５１・５２は、装置本体に設けられた第一の固設部分（図示せず）に前記第一の突出部が当接して、続いて、装置本体に設けられた第二の固設部分（図示せず）に前記第二の突出部６０が当接することによって前記開放位置へ移動する、ここで、前記第二の突出部６０は前記一端側に設けられた軸と同一軸線上に突出している。
【００７４】
なお、本例のドラムシャッター支持構成は、実施の形態１を採用したが、参考例のドラムシャッター支持構成をとることもできる。
【００７５】
（実施の形態３）
前記参考例及び前記実施の形態１，２ではドラムシャッターを２分割する例で説明していたが、３分割以上にして、ドラムシャッターを開いた時の電子写真画像形成装置本体５０におけるプロセスカートリッジ１３の占有体積を更に小さくしても良い。
【００７６】
あるいは、各シャッター部材は別体の成形物でなくても良い。例えば一体の成形物であって、その一部分を薄肉形状として可動可能としても良い。前述３分割以上にした場合、あるいは、一体の成形物とした場合に、前述した各々の実施例を適用することができる。
【００７７】
また前述カートリッジフレーム、及び、シャッター部材は、例えばポリスチレン、ＡＢＳ樹脂、ポリカーボネイト、ポリエチレン、あるいはポリプロピレン等である。
【００７８】
またプロセスカートリッジとしては、前述実施例に限定されずに、プロセス手段としての帯電手段、現像手段、クリーニング手段の少なくとも一つと電子写真感光体とを一体的にカートリッジ化して電子写真画像形成装置本体に対して着脱可能とするものである。
【００７９】
以上説明したように、前述実施例によれば、カートリッジ枠体から露出している電子写真感光体を覆う開閉部材を複数のシャッター部材を回転自在に結合し、シャッター支持手段でシャッター部材の夫々を開閉可能に支持したので、ドラムシャッターの回動軌跡の面積を小さくすることができ、ひいては電子写真画像形成装置本体をコンパクトに設計することができる。
【００８０】
前述実施例によれば、シャッター支持手段を各シャッター部材を一つのリンクとし、カートリッジ枠体を一つのリンクとし、各シャッター部材両端とカートリッジ枠体を夫々二つのリンクで結合して、且つ、各シャッター部材の連結部とカートリッジ枠体を結合するリンクを共通とすることにより、複数の四節回転連鎖を連設してあるので、各シャッター部材の夫々の運動の軌跡をカートリッジ枠体に沿うようにするのが容易であり、製作し易い。
【００８１】
前述実施例によれば、シャッター支持手段を夫々を回転自在に結合した複数のシャッター部材のうち、一端のシャッター部材を除いて、各シャッター部材を一つのリンクとし、カートリッジ枠体を一つのリンクとし、各シャッター部材両端とカートリッジ枠体を夫々二つのリンクで結合して、且つ、隣接するシャッター部材の連結部とカートリッジ枠体を結合するリンクを共通とすることにより、１つ以上の四節回転連鎖を構成してあるので、各シャッター部材の夫々の運動の軌跡をカートリッジ枠体に沿うようにするのが容易であり、製作し易い。そして、前記一端のシャッター部材を内側へ回動させる付勢部材を設けてあるので、リンク数が少なく簡単である。
【００８２】
前述実施例によれば、二つのシャッター部材の夫々両端を端部支持レバーで夫々支持すると共に二つのシャッター部材の結合部を結合部支持レバーで支持したので、各レバーの長さとカートリッジ枠体へへの枢着部位置を選択できる範囲が大きく夫々のカートリッジ形態に適応できる。
【００８３】
前述実施例によれば、前記シャッター部材を前記カートリッジ枠体の開口部を閉じるように付勢する付勢部材と、プロセスカートリッジを電子写真画像形成装置本体へ装着する際に、電子写真画像形成装置本体側の部材と係合することによりシャッター部材を開かせる駆動部を有することとしたことにより、プロセスカートリッジの電子写真画像形成装置本体への着脱に際し、自動的にカートリッジ枠体の電子写真感光体の露出部を開閉できるため、操作性がよい。
【００８４】
前述実施例によれば、閉じた位置においてシャッター部材が電子写真感光体表面に沿って配されていることにより、プロセスカートリッジを電子写真画像形成装置から取り出した際の、プロセスカートリッジの容積が小さく取り扱い易い。
【００８５】
前述実施例によれば、開放時シャッター部材はカートリッジ枠体上に位置するようにしてあるので、カートリッジ枠体内にクリーニング手段の廃現像剤溜めを設ける際、除去現像剤溜めに対する現像剤の落下状態を妨げることのないカートリッジ枠体を得ることができる。
【００８６】
前述実施例によれば、開放時シャッター部材の進入する凹形状をカートリッジ枠体上に設けたので電子写真画像形成装置本体のプロセスカートリッジ装着スペースを小さくできる。
【００８７】
【発明の効果】
以上説明した通り本発明によれば、カートリッジフレームの外表面に沿わせてシャッターを開閉することのできるプロセスカートリッジ、及び、前記プロセスカートリッジを着脱可能な電子写真画像形成装置を提供することができる。
【図面の簡単な説明】
【図１】  電子写真画像形成装置の縦断面図である。
【図２】  プロセスカートリッジ装着作用を示す電子写真画像形成装置の縦断面図である。
【図３】  参考例のプロセスカートリッジの斜視図である。
【図４】  参考例のプロセスカートリッジの斜視図である。
【図５】  参考例のプロセスカートリッジの側面図である。
【図６】  参考例のプロセスカートリッジの側面図である。
【図７】  参考例のプロセスカートリッジの側面図である。
【図８】  実施の形態１のプロセスカートリッジの側面図である。
【図９】  実施の形態１のプロセスカートリッジの側面図である。
【図１０】  実施の形態１のプロセスカートリッジの斜視図である。
【図１１】  実施の形態２のプロセスカートリッジの斜視図である。
【図１２】  実施の形態２のプロセスカートリッジの斜視図である。
【図１３】  実施の形態２のプロセスカートリッジの側面図である。
【符号の説明】
Ａ  カラー電子写真画像形成装置装置
１  給紙カセット
２  転写材
３  給紙ローラー
４  給送ローラー
５  リタードローラー
６  給紙ガイド
７  搬送ローラー
８  レジストローラー
９  中間転写体
１０  転写ローラ
１１  弾性層
１２  アルミシリンダー
１３  プロセスカートリッジ
１４  クリーニング容器
１４ｂ  側板
１４ｃ  ドラム支持部
１４ｃ１  円弧部
１４ｄ  左上角
１４ｅ  直線部
１４ｆ  前板
１４ｉ  底板
１４ｈ  隅部
１４ｊ  天板
１４ｇ  交点
１５  感光ドラム
１５ａ  ドラム軸
１６  クリーニングブレード
１７  一次帯電手段
２０  現像手段
２０Ｙ  イエロー現像器
２０Ｍ  マゼンタ現像器
２０Ｃ  シアン現像器
２０ＹＲ  塗布ローラー
２０ＹＳ  現像スリーブ
２０ＹＢ  現像ブレード
２１  現像手段
２１Ｂ  黒現像器
２１ＢＳ  現像スリーブ
２１ＢＢ  塗布ブレード
２２  軸
２３  現像ロータリー
２５  定着部
２６  定着ローラー
２７  加圧ローラー
２８  ヒータ
２９  ヒータ
３０  スキャナー部
３１  ポリゴンミラー
３２  結像レンズ
３３  反射ミラー
３４  排出ローラー
３５  排出ローラー
３６  排出ローラー
３７  排出部
５０  電子写真画像形成装置本体
５１  第一シャッター部材（ドラムシャッター）
５１ａ  バネ係止部
５２  第二シャッター部材（ドラムシャッター）
５２ａ  バネ係止部
５２ｂ  端部
５３  ヒンジ部材
５３ａ  ヒンジ軸
５４  ねじりコイルバネ
５５  第一レバー部材（端部支持レバー）
５５ａ  回動中心
５５ｂ  ピン部
５６  ヒンジ支持レバー（結合部支持レバー）
５６ａ  中心軸
５７  スペース
５８  ねじりコイルバネ
５９  突起
６０  突起
６１  第二レバー部材（端部支持レバー）
６１ａ  回動中心
６１ｂ  ピン部
６３  ストッパー
７０  カートリッジ挿入口
７０ａ  カバー
【図１】
0003768632.tif 000002
【図２】
0003768632.tif 000003
【図３】
0003768632.tif 000004
【図４】
0003768632.tif 000005
【図５】
0003768632.tif 000006
【図６】
0003768632.tif 000007
【図７】
0003768632.tif 000008
【図８】
0003768632.tif 000009
【図９】
0003768632.tif 000010
【図１０】
0003768632.tif 000011
【図１１】
0003768632.tif 000012
【図１２】
0003768632.tif 000013
【図１３】
0003768632.tif 000014